(57)【要約】【課題】薬液タンクの押出し操作のためのバネ付押釦は、蓋板を介して間接的に押圧可能とすると共に、蓋板自体も鍵を用いた施錠により、通常完全な閉塞状況に確保して塵埃などの浸入を防止でき、かつ蓋体の鍵による施錠により薬液タンクの盗難を防止できるようにした除菌便座クリーニングディスペンサーの提供。【解決手段】容器１と、この容器１の開口部５を枢軸６で開閉できる蓋体を備え、前記容器内に薬液を補充できる薬液タンク１０を着脱自在に配設すると共に、この薬液タンク１０の下部にバネ付押釦１４の押圧により薬液を噴射する噴射口を設け、前記蓋体を介してバネ付押釦１４を押圧可能とし、かつ蓋体の下部裏面に係止片を設け、容器１の下板３に設けた鍵付の錠前１７のアーム１８を容器内に臨ませて、前記係止片と係脱自在に形成してなることを特徴とする除菌便座クリーニングディスペンサー。【選択図】図１
2009247495.tif 000002
【特許請求の範囲】
【請求項１】
容器と、この容器の開口部を枢軸で開閉できる蓋体を備え、前記容器内に薬液を補充できる薬液タンクを着脱自在に配設すると共に、この薬液タンクの下部にバネ付押釦の押圧により薬液を噴射する噴射口を設け、前記蓋体を介してバネ付押釦を押圧可能とし、かつ蓋体の下部裏面に係止片を設け、容器の下板に設けた鍵付の錠前のアームを容器内に臨ませて、前記係止片と係脱自在に形成してなることを特徴とする除菌便座クリーニングディスペンサー。
【請求項２】
蓋板は、容器の上部内側隅部に枢軸を設けて容器に枢支させ、上板および前板を一体にして前板の下部中央で薬液タンクのバネ付押釦と当接させてこのバネ付押釦を押圧解放自在にして成ることを特徴とする請求項１記載の除菌便座クリーニングディスペンサー。
【請求項３】
薬液タンクは、上部にキャップを備え、薬液タンクの背面と容器の裏板内面との間に着脱自在の押圧係合体を介して薬液タンクを剥取取外し、押圧取付け自在にできるようにして成ることを特徴とする請求項１または２記載の除菌便座クリーニングディスペンサー。
【発明の詳細な説明】
【技術分野】
【０００１】
本発明は、通常、便座クリーナーと呼ばれる除菌便座クリーニングディスペンサーに関する。
【背景技術】
【０００２】
この種の便座クリーナーは、主として便所の便座を清拭して殺菌すると共に衛生状態を清潔に保持するために公衆トイレに広く用いられている。
【０００３】
そして、トイレ壁面に配設して置き、薬液を補充可能の容器の下部に押釦を設け、この押釦を使用者が、使用前に備え付けのロールペーパーを一部切り取ったり、または手持ちのティッシュペーパーを、下方にかざして押圧して容器に内蔵された弁を開いて、薬液タンク内の薬液を紙片に噴霧滴下させ、薬液で湿った紙片を便座表面に当接掃拭させて、前使用者の用済後の汚染された状態を清拭消毒することができるようになっている（例えば特許文献１、特許文献２参照）。
【特許文献１】特開平９−１１７３８９号公報
【特許文献２】特開平５−３８３６号公報
【発明の開示】
【発明が解決しようとする課題】
【０００４】
上記特許文献１および特許文献２は、いずれも薬液を貯溜させた容器には、下部に指頭で押圧するレバー又は操作ボタンが設けられ、必要時に押圧により容器の下端に臨まれる噴出口より薬液が噴出され、通常の薬液使用が可能である。
【０００５】
しかしながら、薬液を噴出口より導出されるためには、直接に容器のレバー又は操作レバーを用いなければならず、押圧操作が不便で軽快になし得ない。
【０００６】
さらに、レバー又は押ボタンは表面の蓋体の孔より突出させてあるので、使用時に塵埃などが浸入し、汚染されるという不都合もある。
【０００７】
また、容器自体は、蓋体を開放すれば簡単に取外して持ち運べるので盗難の虞もある。
【０００８】
本発明は以上の点に着目して成されたもので、薬液タンクの押出し操作のためのバネ付押釦は、蓋板を介して間接的に押圧可能とすると共に、蓋板自体も鍵を用いた施錠により、通常完全な閉塞状況に確保して塵埃などの浸入を防止でき、かつ蓋体の鍵による施錠により薬液タンクの盗難を防止できるようにした除菌便座クリーニングディスペンサーを提供することを目的とする。
【課題を解決するための手段】
【０００９】
この発明は下記の構成を備えることにより上記課題を解決できるものである。
【００１０】
（１）容器と、この容器の開口部を枢軸で開閉できる蓋体を備え、前記容器内に薬液を補充できる薬液タンクを着脱自在に配設すると共に、この薬液タンクの下部にバネ付押釦の押圧により薬液を噴射する噴射口を設け、前記蓋体を介してバネ付押釦を押圧可能とし、かつ蓋体の下部裏面に係止片を設け、容器の下板に設けた鍵付の錠前のアームを容器内に臨ませて、前記係止片と係脱自在に形成してなることを特徴とする除菌便座クリーニングディスペンサー。
【００１１】
（２）蓋板は、容器の上部内側隅部に枢軸を設けて容器に枢支させ、上板および前板を一体にして前板の下部中央で薬液タンクのバネ付押釦と当接させてこのバネ付押釦を押圧解放自在にして成ることを特徴とする前記（１）記載の除菌便座クリーニングディスペンサー。
【００１２】
（３）薬液タンクは、上部にキャップを備え、薬液タンクの背面と容器の裏板内面との間に着脱自在の押圧係合体を介して薬液タンクを剥取取外し、押圧取付け自在にできるようにして成ることを特徴とする前記（１）または（２）記載の除菌便座クリーニングディスペンサー。
【発明の効果】
【００１３】
本発明によれば、薬液タンクのバネ付押釦は、蓋体の閉止状態で蓋体の前板を介して枢軸により押圧することにより、間接的に噴射口を押圧解放して薬液を噴霧，滴下できるので、押圧操作が簡単であり、またバネ付押釦は蓋体で遮蔽されて露出していないので塵埃などの浸入を防ぐことができる。
【００１４】
また、蓋体は枢軸により回動自在であり、バネ付押釦のバネの働きに抗して、蓋体に対する押圧操作を解放すれば、薬液の噴射口の閉塞が自動的に行われると同時に押し込まれて、バネ付押釦側に可動した蓋体も、バネ付押釦内のバネの反撥力によって、旧位置に枢軸を支点として帰動できる。
【００１５】
さらに、錠前により鍵を掛けた状態では、アームが蓋体の下部裏面に設けた係止片を係合されているので、蓋体は容器より開くことがなく、常に薬液タンクの盗難を防止して安全に使用できる。
【００１６】
なお、薬液タンク自体は、押圧係合体を介して容器に固定してあるので、必要に応じ、鍵を用いて施錠を解き、蓋体を、枢軸を支点として広く回動開放して容易に取外すことができる。
【発明を実施するための最良の形態】
【００１７】
以下に、本発明の一実施例を説明する。
【実施例】
【００１８】
図面について、１は平面長方形で上板を欠除した、左右側板２，２、下板３および背板４より成る容器、５は前記容器１の開口部で、背板４の上端に枢軸６で回動自在に固着された上板７と前板８とを、側面Ｌ字状に形成した蓋板９を設けてある。なお、枢軸６は蝶番の軸として設けてある。
【００１９】
１０は、容器１の上部押え板１１と下部支持板１２との間に挿嵌される薬液タンクで、背板４の内側と薬液タンク１０の背面との夫々に、マジックテープ(登録商標)などの一対の押圧係合体１３，１３を取付けることにより、背板４の内側に着脱可能に固定させることができる。そして、この薬液タンク１０の下部には、水平方向に突出したバネ付押釦１４を備えると共に、このバネ付押釦１４は、容器１の開口面より僅かに前方に突出させた状態を保持させている。さらに、バネ付押釦１４の直近には下方に向く噴出孔１５を備え、かつ噴出孔１５の下方には下板３の中央に切欠部１６を設け、前記噴出孔１５から吐出される薬液の散布，滴下の通路として機能させてある。
【００２０】
したがって、前記枢軸６で回動自在の蓋板９の前板８は、このバネ付押釦１４の先端に当接しながら、容器１の開口部５より僅かな間隔を保って常態を保持できる。
【００２１】
なお、バネ付押釦１４は、詳細は省くがコイルスプリングなどを内蔵して、このコイルスプリングの伸縮作用で薬液タンク１０のノズル、即ち噴出孔１５を開閉できる従来公知の構成を備えている。
【００２２】
１７は容器１の下板３の一側に設けた鍵付きの錠前で、鍵Ｋの作動によって容器１の内側に突設したアーム１８を約９０度の角度で回動させることができるようになっており、施錠状態ではアーム１８が蓋板９の前板８の対応箇所に設けたＬ字杆１９と係合し、解錠状態ではアーム１８はＬ字杆１９と係合を外して蓋板９を枢軸６を支点として回動可能としている。
【００２３】
２０はバネ付押釦１４の上下動を案内するガイド杆であって、二又状の平行したガイド片２１，２１が支持板２２で、薬液タンク１０の下部に接着剤で固定起立させ、前記ガイド片２１，２１を、バネ付押釦１４に設けた二個の突片２３，２３と摺接させて、バネ付押釦１４の押圧解放に基づく上下動を前記突片２３，２３により二又状のガイド片２１，２１によって滑らかに、かつ変動を規制して正しく摺動させることができるようになっている。
【００２４】
符号２４は、薬液タンク１０内の薬液の貯溜現在量を視認できる細長な透視孔で、容器１の左右側板２，２に設けられている。２５は、壁などに釘などの突起物と、係入できる容器１の支持用掛け孔、２６は薬液タンク１０の頂部に設けられるキャップを示す。
【００２５】
叙上の構成に成るので、トイレの室内の壁等の掛止部（突起物）に容器１の掛け孔２５により係入させて便座クリーナーとして設置できる。
【００２６】
薬液タンク１０は、一対の押圧係合体１３，１３で容器１内に設置した儘、または一対の押圧係合体１３，１３を引き剥がして薬液タンク１０を取外した状態にして、キャップ２６を外して必要な薬液を薬液タンク１０内に収納充填できる。
【００２７】
トイレの便座使用者は、備付けのトイレットペーパーの一部を切截するか、手持の紙を用いて下板３の切欠部１６の下方に臨ませ、蓋板９の前板８を片手で容器１側に押圧すれば、前板８と当接されているバネ付押釦１４が押圧され、噴出孔１５より薬液タンク１０内の薬液は噴霧滴下し、紙片を湿らせて、紙片中に薬液を給出できる（図２鎖線参照）。
【００２８】
バネ付押釦１４は、内蔵されているスプリングの張力により、蓋板９に対する押圧力を解放すれば、噴出孔１５を閉止すると共に、後退させることができるので、反覆押圧解放作用を行うことにより、手持ちの紙片への薬液滴下は好みの量を湿み込ませることができる。
【００２９】
そして、バネ付押釦１４の前進，後退作用は、ガイド杆２０の二枚の平行したガイド片２１，２１によって、バネ付押釦１４の二組の突片２３，２３を正しく案内しているので、無理なく偏倚，変動することなく円滑に摺動させることができる（図７参照）。
【００３０】
ところで蓋板９は、枢軸６を支点として容器１の開口部５を開閉できるが、容器１の下板３の隅部に設けた錠前１７によって施錠時は、容器１の下板３の内側に設けられるアーム１８が蓋板９の前板８の内側対応箇所に設けたＬ字杆１９と係合させてあるので、不用意に蓋板９が開かれることはなく、鍵により解錠された場合にのみしか蓋板９が開放されることがないので、薬液タンク１０の盗難の虞がない。
【００３１】
以上、本発明の一実施例を説明したが、容器１は上板を欠除せずに左右側板と下板とを一体にして構成し、蓋板を前板とした直板として、上板の前縁と蝶番などを用いて枢支開閉可能とすることもできる。
【図面の簡単な説明】
【００３２】
【図１】本発明に係る除菌便座クリーニングディスペンサーの一実施例を示す斜視図
【図２】図１の一切欠側面図
【図３】図１の正面図
【図４】図１の上面図
【図５】図３の錠前構造を示すＡ部の拡大平面図
【図６】図５のＶＩ−ＶＩ線断面図
【図７】バネ付押釦とこれをガイドする支持板との相関関係を示す要部の分解斜面図
【符号の説明】
【００３３】
１  容器
２  左右側板
３  下板
４  背板
５  開口部
６  枢軸
７  上板
８  前板
９  蓋板
１０  薬液タンク
１１  上部押え板
１２  下部支持板
１３  一対の押圧係合体
１４  バネ付押釦
１５  噴出孔
１６  切欠部
１７  錠前
１８  アーム
１９  Ｌ字杆
２０  ガイド杆
２１  ガイド片
２２  支持板
２３  突片
２４  透視孔
２５  支持用掛け孔
２６  キャップ
Ｋ  鍵
【図１】
2009247495.tif 000003
【図２】
2009247495.tif 000004
【図３】
2009247495.tif 000005
【図４】
2009247495.tif 000006
【図５】
2009247495.tif 000007
【図６】
2009247495.tif 000008
【図７】
2009247495.tif 000009